(57)【要約】【課題】  利用者の要求に応じて、時間をかけずに、複数の商品を最も安い価格で購入できる店舗を効率よく回って購入することを可能にする。【解決手段】  本発明は、店舗端末の位置情報を含む商品情報を、店舗を地域毎に管理する地域店舗商品情報管理サーバに登録し、利用者からの要求を位置情報管理サーバが解析し、地域店舗商品情報管理サーバを選択して要求を転送することにより検索を依頼し、該要求に沿った店舗及び商品情報を取得し、ユーザ端末に返却する。【選択図】  図１
2005250586.tif 000002
【特許請求の範囲】
【請求項１】
ＩＰ網とサービス提供事業者の位置管理サーバ、地域毎に店舗及び商品を管理する地域店舗商品情報管理サーバ、店舗が利用する店舗端末及び利用者が利用するユーザ端末からなるシステムにおいて、安売り商品の店舗を検索する方法において、
前記店舗端末は、販売する安売り商品あるいは、一般商品の情報及び店舗の位置情報を含む商品情報を前記位置管理サーバに送信する商品情報送信ステップと、
前記位置管理サーバは、前記店舗端末から送信された前記商品情報を受信し、予め地理情報が格納されている地理データベースを参照し、該商品情報に含まれる前記店舗の位置情報に基づいて、該店舗を管理する地域店舗商品情報管理サーバを選択し、該商品情報を該地域店舗商品情報管理サーバに送信する商品情報転送ステップと、
前記地域店舗商品情報管理サーバは、前記位置管理サーバから受信した前記商品情報を商品情報データベースに登録する商品情報登録ステップと、
前記ユーザ端末は、前記利用者から入力された地域エリアを特定するエリアＩＤと商品購入リストと許容可能な店舗までの距離と時間及び1回の買物で立ち寄り可能な店舗数からなる商品要求条件を、前記位置情報管理サーバに送信する要求送信ステップと、
前記位置情報管理サーバは、前記商品要求条件に含まれる前記エリアＩＤに基づいて前記地理情報データベースを検索し、該エリアＩＤに対応する地域店舗商品情報管理サーバに該商品要求条件を転送する要求転送ステップと、
前記地域店舗商品情報管理サーバは、前記商品要求条件に基づいて、前記商品情報データベースを検索し、該商品要求条件に対応する情報を検索し、前記位置情報管理サーバに返却する検索結果通知ステップと、
前記位置情報管理サーバは、前記検索結果を加工して前記ユーザ端末に返却する情報提供ステップと、からなることを特徴とする安売り商品の店舗検索サービス方法。
【請求項２】
前記地域商品情報管理サーバにおいて、
前記位置情報管理サーバを介して取得した前記商品要求条件に基づいて、前記利用者の最寄の店舗で纏めて購入する場合の価格と、安売りの各店舗で購入する場合の価格を含む情報を該位置情報管理サーバに送信し、
前記位置情報管理サーバにおいて、
前記ユーザ端末から前記要求送信ステップにおいて送信された前記商品要求条件に基づいて、前記地域店舗商品情報管理サーバから取得した前記検索結果の、安売りの各店舗で購入する場合の価格に、予め保持されている交通費データベースを参照して得られる該各店舗までの交通費を加算した合計価格と、前記利用者の最寄の店舗で纏めて商品を購入する場合の価格を比較して、差額金額を計算し、前記ユーザ端末に送信する請求項１記載の安売り商品の店舗検索サービス方法。
【請求項３】
前記店舗端末において、
常時食料品あるいは日用品を含む特売商品あるいは、一般の商品の価格情報あるいは、生産地と発売日を含む商品情報をバーコード装置に記憶すると共に、該商品情報とサービスタイム割引を含む情報を前記位置情報管理サーバに送信し、
前記位置情報管理サーバは、前記店舗端末から受信した前記情報を、前記地域店舗商品情報管理サーバに送信し、
前記地域店舗商品管理サーバは、前記位置情報管理サーバから受信した前記情報を商品ジャンル毎に商品情報データベースに登録する請求項１記載の安売り商品の店舗検索サービス方法。
【請求項４】
前記店舗端末において、
前記商品を撮像した商品画像として前記位置情報管理サーバに送信し、
前記位置情報管理サーバは、
前記商品画像を前記商品と対応付けて前記地域店舗商品情報管理サーバに送信する請求項３記載の安売り商品の店舗検索サービス方法。
【請求項５】
前記位置情報管理サーバを有するサービス提供事業者は、商品の情報を提供する各店舗から広告料を徴収する請求項１記載の安売り商品の店舗検索サービス方法。
【請求項６】
ＩＰ網とサービス提供事業者の位置管理サーバ、地域毎に店舗及び商品を管理する地域店舗商品情報管理サーバ、店舗が利用する店舗端末及び利用者が利用するユーザ端末からなるシステムにおける店舗端末であって、
販売する安売り商品あるいは、一般商品の情報及び店舗の位置情報を含む商品情報を前記位置管理サーバに送信する商品情報送信手段を有し、
前記商品情報送信手段は、
常時食料品あるいは日用品を含む特売商品あるいは、一般の商品の価格情報あるいは、生産地と発売日を含む商品情報をバーコード装置に記憶すると共に、該商品情報とサービスタイム割引を含む情報を前記位置情報管理サーバに送信する手段を含むことを特徴とする店舗端末。
【請求項７】
前記商品情報送信手段は、
前記商品を撮像した商品画像として前記位置情報管理サーバに送信する手段を含む請求項６記載の店舗端末。
【請求項８】
ＩＰ網とサービス提供事業者の位置情報管理サーバ、地域毎に店舗及び商品を管理する地域店舗商品情報管理サーバ、店舗が利用する店舗端末及び利用者が利用するユーザ端末からなるシステムにおける位置情報管理サーバであって、
地理情報が格納されている地理情報データベースと、
前記店舗端末から送信された前記商品情報を受信し、前記地理データベースを参照し、該商品情報に含まれる前記店舗の位置情報に基づいて、該店舗を管理する地域店舗商品情報管理サーバを選択する第１の地域店舗商品情報管理サーバ選択手段と、
前記商品情報を選択した地域店舗商品情報管理サーバに送信する商品情報転送手段と、
前記ユーザ端末から利用者から入力された地域エリアを特定するエリアＩＤと商品購入リストと許容可能な店舗までの距離と時間及び1回の買物で立ち寄り可能な店舗数からなる商品要求条件を受信する要求受信ステップと、
前記商品要求条件に含まれる前記エリアＩＤに基づいて前記地理情報データベースを検索し、該エリアＩＤに対応する地域店舗商品情報管理サーバを選択する第２の地域店舗商品情報管理サーバ選択手段と、
選択された前記地域店舗商品情報管理サーバに前記商品要求条件を転送することにより、該商品要求条件に対応する検索結果を要求する要求転送手段と、
前記地域店舗商品情報管理サーバから検索結果を取得し、加工して前記ユーザ端末に返却する情報提供手段と、を有することを特徴とする位置情報管理サーバ。
【請求項９】
交通費の情報を蓄積した交通費データベースを更に有し、
前記要求転送手段は、
前記地域店舗商品情報管理サーバに対して、前記ユーザ端末から取得した前記商品要求条件に基づいて、前記利用者の最寄の店舗で纏めて購入する場合の価格と、安売りの各店舗で購入する場合の価格を含む情報を要求する手段を含み、
前記情報提供手段は、
前記商品要求条件に含まれる前記エリアＩＤに基づいて前記地理データベースを検索し、利用者の基点となる位置と、前記地域店舗商品情報管理サーバから取得した安売りの各店舗の所在位置に基づいて前記交通費データベースを参照し、該利用者の基点となる位置から該店舗の所在位置までの交通費を求める手段と、
前記地域店舗商品情報管理サーバから取得した検索結果の、安売りの各店舗で購入する場合の価格に、前記交通費を加算した合計価格と、前記利用者の最寄の店舗で纏めて商品を購入する場合の価格を比較して、差額金額を計算し、前記ユーザ端末に送信する手段を含む請求項８記載の位置情報管理サーバ。
【請求項１０】
ＩＰ網とサービス提供事業者の位置情報管理サーバ、地域毎に店舗及び商品を管理する地域店舗商品情報管理サーバ、店舗が利用する店舗端末及び利用者が利用するユーザ端末からなるシステムにおける地域店舗商品情報管理サーバであって、
前記位置管理サーバを介して受信した前記店舗端末からの前記商品情報を商品情報データベースに登録する商品情報登録手段と、
前記位置情報管理サーバを介して受信した前記ユーザ端末からの、地域エリアを特定するエリアＩＤと商品購入リストと許容可能な店舗までの距離と時間及び1回の買物で立ち寄り可能な店舗数からなる商品要求条件に基づいて、前記商品情報データベースを検索し、該位置情報管理サーバに返却する検索結果通知手段と、を有することを特徴とする地域店舗商品情報管理サーバ。
【請求項１１】
前記検索結果通知手段は、
前記位置情報管理サーバを介して取得した前記商品要求条件に基づいて、前記利用者の最寄の店舗で纏めて購入する場合の価格と、安売りの各店舗で購入する場合の価格を含む情報を、前記商品情報データベースを検索して取得し、該位置情報管理サーバに送信する手段を含む請求項１０記載の地域店舗商品情報管理サーバ。
【請求項１２】
前記商品情報登録手段は、
前記位置情報管理サーバを介して前記店舗端末から送信された、常時食料品あるいは日用品を含む特売商品あるいは、一般の商品の価格情報あるいは、生産地と発売日を含む商品情報とサービスタイム割引を含む情報を、商品ジャンル毎に前記商品情報データベースに登録する手段を含む請求項１０記載の地域店舗商品情報管理サーバ。
【発明の詳細な説明】
【技術分野】
【０００１】
本発明は、安売り商品の店舗検索サービス方法及び店舗端末及び位置情報管理サーバ及び地域店舗商品情報管理サーバに係り、商品購入サービスにおける商品の安売り店舗を検索するための、安売り商品の店舗検索サービス方法及び店舗端末及び位置情報管理サーバ及び地域店舗商品情報管理サーバに関する。
【背景技術】
【０００２】
従来の安売り店舗サービスは、インターネットを介して、サービス提供事業者のＤＢに商品の価格と、その価格で商品を提供する各店舗の情報を管理しており、最も安い価格を提供する店舗を紹介している。
【０００３】
利用者が安売り店舗の商品を購入する場合には、安い各店舗を情報通信端末あるいは、携帯電話で検索し、単一の商品に対する検索結果を得るシステムがある。
【０００４】
また、買物を支援するための方法として、利用者が無線端末を利用し、利用者の位置情報と情報提供者の位置情報などを参照して利用者の近隣で行われている商品価格の情報やイベント情報を提供する方法がある（例えば、特許文献１参照）。
【特許文献１】特開２００１−２２３７１２号公報『情報提供方法、無線ネットワークシステム、無線端末、無線サーバ及び情報サーバ並びに電子クーポン配布方法』
【発明の開示】
【発明が解決しようとする課題】
【０００５】
しかしながら、上記従来の方法では、単一の商品に対する検索結果のみが通知されるだけであり、複数の商品を最も安い値段で一度に購入する検索にはかなりの手間がかかる。
【０００６】
また、最も安い店舗を検索した結果にしたがって、検索した店舗から順に安い商品の買物をすると全ての店舗を回る必要がある。
【０００７】
また、利用者が商品を安く購入するために、情報通信端末あるいは、携帯通信端末で商品購入リストと検索店舗の距離と時間と安い複数の商品を１回の買物で立ち寄る店舗数等を簡単に検索するサービスは存在していない。
【０００８】
本発明は、上記の点に鑑みなされたもので、利用者から制限された安売り店舗の数に絞り、利用者に不必要に複数の店舗を回らせる手間をかけることなく、複数の商品を最も安い価格で購入することができる店舗を検索すると共に商品情報を入手することが可能な安売り商品の店舗検索サービス方法及び店舗端末及び位置情報管理サーバ及び地域店舗商品情報管理サーバを提供することを目的とする。
【０００９】
また、時間をあまりかけないで一回の買物で検索した店舗から安い商品を購入することが可能な安売り商品の店舗検索サービス方法及びシステムを提供することを目的とする。
【００１０】
また、利用者が検索した各店舗から購入する価格と最寄の店舗でまとめて商品購入する価格との差額を利用者に通知することが可能な安売り商品の店舗検索サービス方法及び店舗端末及び位置情報管理サーバ及び地域店舗商品情報管理サーバを提供することである。
【００１１】
さらに、利用者が商品購入する食料品あるいは雑貨等特売商品あるいは一般商品を纏めて安値で購入できる店舗を検索することが可能な安売り商品の店舗検索サービス方法及び店舗端末及び位置情報管理サーバ及び地域店舗商品情報管理サーバを提供することを目的とする。
【課題を解決するための手段】
【００１２】
図１は、本発明の原理を説明するための図である。
【００１３】
本発明は、ＩＰ網とサービス提供事業者の位置管理サーバ、地域毎に店舗及び商品を管理する地域店舗商品情報管理サーバ、店舗が利用する店舗端末及び利用者が利用するユーザ端末からなるシステムにおいて、安売り商品の店舗を検索する方法において、
店舗端末は、販売する安売り商品あるいは、一般商品の情報及び店舗の位置情報を含む商品情報を位置管理サーバに送信する商品情報送信ステップと（ステップ１）、
位置管理サーバは、店舗端末から送信された商品情報を受信し、予め地理情報が格納されている地理データベースを参照し、該商品情報に含まれる店舗の位置情報に基づいて、該店舗を管理する地域店舗商品情報管理サーバを選択し（ステップ２）、該商品情報を該地域店舗商品情報管理サーバに送信する商品情報転送ステップ（ステップ３）と、
地域店舗商品情報管理サーバは、位置管理サーバから受信した店舗の位置情報及び、商品情報を商品情報データベースに登録する商品情報登録ステップと（ステップ４）、
ユーザ端末は、利用者から入力された地域エリアを特定するエリアＩＤと商品購入リストと許容可能な店舗までの距離と時間及び1回の買物で立ち寄り可能な店舗数からなる商品要求条件を、位置情報管理サーバに送信する要求送信ステップと（ステップ５）、
位置情報管理サーバは、商品要求条件に含まれるエリアＩＤに基づいて地理情報データベースを検索し（ステップ６）、該エリアＩＤに対応する地域店舗商品情報管理サーバに該商品要求条件を転送する要求転送ステップ（ステップ７）と、
地域店舗商品情報管理サーバは、商品要求条件に基づいて、商品情報データベースを検索し、該商品要求条件に対応する情報を検索し（ステップ８）、検索結果を位置情報管理サーバに返却する検索結果通知ステップ（ステップ９）と、
位置情報管理サーバは、検索結果を加工して（ステップ１０）ユーザ端末に返却する情報提供ステップと(ステップ１１)、からなる。
【００１４】
また、本発明は、地域商品情報管理サーバにおいて、位置情報管理サーバを介して取得した商品要求条件に基づいて、利用者の最寄の店舗で纏めて購入する場合の価格と、安売りの各店舗で購入する場合の価格を含む情報を該位置情報管理サーバに送信し、
位置情報管理サーバにおいて、ユーザ端末から要求送信ステップにおいて送信された商品要求条件に基づいて、地域店舗商品情報管理サーバから取得した検索結果の、安売りの各店舗で購入する場合の価格に、予め保持されている交通費データベースを参照して得られる該各店舗までの交通費を加算した合計価格と、利用者の最寄の店舗で纏めて商品を購入する場合の価格を比較して、差額金額を計算し、ユーザ端末に送信する。
【００１５】
また、本発明は、店舗端末において、常時食料品あるいは日用品を含む特売商品あるいは、一般の商品の価格情報あるいは、生産地と発売日を含む商品情報をバーコード装置に記憶すると共に、該商品情報とサービスタイム割引を含む情報を位置情報管理サーバに送信し、
位置情報管理サーバは、店舗端末から受信した情報を、地域店舗商品情報管理サーバに送信し、
地域店舗商品管理サーバは、位置情報管理サーバから受信した情報を商品ジャンル毎に商品情報データベースに登録する。
【００１６】
また、本発明は、店舗端末において、商品を撮像した商品画像として位置情報管理サーバに送信し、
位置情報管理サーバは、商品画像を商品と対応付けて地域店舗商品情報管理サーバに送信する。
【００１７】
また、本発明は、位置情報管理サーバを有するサービス提供事業者は、商品の情報を提供する各店舗から広告料を徴収する。
【００１８】
図２は、本発明の原理構成図である。
【００１９】
本発明は、ＩＰ網とサービス提供事業者の位置管理サーバ１、地域毎に店舗及び商品を管理する地域店舗商品情報管理サーバ３、店舗が利用する店舗端末９及び利用者が利用するユーザ端末２１からなるシステムにおける店舗端末９であって、
販売する安売り商品あるいは、一般商品の情報及び店舗の位置情報を含む商品情報を位置管理サーバに送信する商品情報送信手段９１を有し、
商品情報送信手段９１は、
常時食料品あるいは日用品を含む特売商品あるいは、一般の商品の価格情報あるいは、生産地と発売日を含む商品情報をバーコード装置に記憶すると共に、該商品情報とサービスタイム割引を含む情報を位置情報管理サーバ１に送信する手段を含む。
【００２０】
また、本発明の商品情報送信手段９１は、商品を撮像した商品画像として位置情報管理サーバ１に送信する手段を含む。
【００２１】
本発明は、ＩＰ網とサービス提供事業者の位置情報管理サーバ１、地域毎に店舗及び商品を管理する地域店舗商品情報管理サーバ３、店舗が利用する店舗端末９及び利用者が利用するユーザ端末２１からなるシステムにおける位置情報管理サーバ１であって、
地理情報が格納されている地理情報データベース２と、
店舗端末９から送信された商品情報を受信し、地理データベース２を参照し、該商品情報に含まれる店舗の位置情報に基づいて、該店舗を管理する地域店舗商品情報管理サーバ３を選択する第１の地域店舗商品情報管理サーバ選択手段２４１と、
商品情報を選択した地域店舗商品情報管理サーバ３に送信する商品情報転送手段２３２と、
ユーザ端末２１から利用者から入力された地域エリアを特定するエリアＩＤと商品購入リストと許容可能な店舗までの距離と時間及び1回の買物で立ち寄り可能な店舗数からなる商品要求条件を受信する要求受信手段２３１と、
商品要求条件に含まれるエリアＩＤに基づいて地理情報データベース２を検索し、該エリアＩＤに対応する地域店舗商品情報管理サーバを選択する第２の地域店舗商品情報管理サーバ選択手段２４２と、
選択された地域店舗商品情報管理サーバ３に商品要求条件を転送することにより、該商品要求条件に対応する検索結果を要求する要求転送手段２３３と、
地域店舗商品情報管理サーバ３から検索結果を取得し、加工してユーザ端末に返却する情報提供手段２６と、を有する。
【００２２】
また、本発明の位置情報管理サーバ１は、交通費の情報を蓄積した交通費データベースを更に有し、
要求転送手段２３３は、
地域店舗商品情報管理サーバ２に対して、ユーザ端末２１から取得した商品要求条件に基づいて、利用者の最寄の店舗で纏めて購入する場合の価格と、安売りの各店舗で購入する場合の価格を含む情報を商品要求条件する手段を含み、
情報提供手段２６は、
商品要求条件に含まれるエリアＩＤに基づいて地理データベース２を検索し、利用者の基点となる位置と、地域店舗商品情報管理サーバ３から取得した安売りの各店舗の所在位置に基づいて交通費データベースを参照し、該利用者の基点となる位置から該店舗の所在位置までの交通費を求める手段と、
地域店舗商品情報管理サーバ３から取得した検索結果の、安売りの各店舗で購入する場合の価格に、交通費を加算した合計価格と、利用者の最寄の店舗で纏めて商品を購入する場合の価格を比較して、差額金額を計算し、ユーザ端末２１に送信する手段を含む。
【００２３】
本発明は、ＩＰ網とサービス提供事業者の位置情報管理サーバ１、地域毎に店舗及び商品を管理する地域店舗商品情報管理サーバ３、店舗が利用する店舗端末９及び利用者が利用するユーザ端末２１からなるシステムにおける地域店舗商品情報管理サーバ３であって、
位置管理サーバ１を介して受信した店舗端末からの商品情報を商品情報データベース４に登録する商品情報登録手段３５と、
位置情報管理サーバ１を介して受信したユーザ端末２１からの、地域エリアを特定するエリアＩＤと商品購入リストと許容可能な店舗までの距離と時間及び1回の買物で立ち寄り可能な店舗数からなる商品要求条件に基づいて、商品情報データベース４を検索し、該位置情報管理サーバに返却する検索結果通知手段３２と、を有する。
【００２４】
また、本発明の地域店舗商品情報管理サーバの検索結果通知手段３２は、
位置情報管理サーバ１を介して取得した商品要求条件に基づいて、利用者の最寄の店舗で纏めて購入する場合の価格と、安売りの各店舗で購入する場合の価格を含む情報を、商品情報データベース４を検索して取得し、該位置情報管理サーバ１に送信する手段を含む。
【００２５】
また、本発明の地域店舗商品情報管理サーバ３の商品情報登録手段３５は、
位置情報管理サーバ１を介して店舗端末から送信された、常時食料品あるいは日用品を含む特売商品あるいは、一般の商品の価格情報あるいは、生産地と発売日を含む商品情報とサービスタイム割引を含む情報を、商品ジャンル毎に商品情報データベース４に登録する手段を含む。
【００２６】
上記のように、本発明は、利用者が買物をするときに許容する範囲の距離と時間と、商品購入リストと立ち寄る店舗数などの情報をサービス提供事業者の位置情報管理サーバに送信して処理する機能を有している点において従来の技術と異なる。
【００２７】
また、本発明の位置情報管理サーバは既存の交通経路検索エンジンと連携し、買物時の交通費の提供と、利用者が検索した各店舗から購入する価格と最寄の店舗でまとめて購入する価格との差金額を利用者に通知する点において従来の技術と異なる。
【００２８】
また、各情報管理サーバの処理負荷を軽減するために、位置情報管理サーバと地域店舗商品情報管理サーバに分けて商品情報を処理する点において従来の技術と異なる。
【発明の効果】
【００２９】
上記から本発明は、以下のような効果を奏する。
【００３０】
（１）利用者は、欲しい商品を安い値段で購入することが可能であり、また、安売り店舗を探索することを許容する範囲や時間、購入する店舗数を制限することで、１回だけの買物で効率よく商品購入をすることが可能となる。
【００３１】
（２）情報収集が一元化されているため、毎日あるいは、常時配布されてくる特売商品のチラシ等を見比べながら商品情報を見ると、安売り店舗の検索をする手間が省くことができる。
【００３２】
（３）利用者は立ち寄れる距離や時間と立ち寄れる店舗数を設定することにより、大量の買物をする時に複数の店舗に立ち寄る労力を避けることが可能となる。
【００３３】
（４）本発明のサービスは広告の役割を果たすため、各店舗は、価格情報が利用者に通知されることで購買意欲が向上し、店舗の集客効果が増大し、それに応じて売り上げ増加が見込まれる。
【００３４】
（５）サービス提供事業は、各店舗の商品情報提供事業者からの広告料を得ることが可能であり、利用者からはサービス料金を回収しないため、利用者の意欲が増えて、本発明のサービスが増大し、広告媒体として価値が高まり、さらに多くの店舗の情報提供者が出現し、それに応じて広告収入が増加してビジネスの貢献に反映することが可能である。
【発明を実施するための最良の形態】
【００３５】
以下、図面と共に本発明の実施の形態を説明する。
【００３６】
［第１の実施の形態］
図３は、本発明の第１の実施の形態におけるシステム構成図である。
【００３７】
同図に示すシステムは、利用者が所有する通信端末（以下、ユーザ端末）２１、利用者が所有する携帯通信端末（以下、ユーザ携帯端末）２０、サービス提供事業者６が所有する位置情報管理サーバ１、当該位置情報管理サーバ１の地理情報ＤＢ２、地域店舗商品情報管理サーバ３、当該地域店舗商品情報管理サーバ３の商品情報ＤＢ４、店舗の端末９，１０，１１，１２、１５から構成される。
【００３８】
位置情報管理サーバ１は、図４に示すように、ユーザ端末２１または、ユーザ携帯端末２０または、地域店舗情報管理サーバ３，５との通信を行う送受信部２３、各地域エリア８，１６に存在する地域店舗情報管理サーバ３，５を管理する地理情報ＤＢ２と地域交通費を管理する交通費ＤＢ２５と適切な店舗を検索する検索エンジン２４を有する。検索エンジン２４は、ユーザ端末２１または、ユーザ携帯端末２０から送信された商品要求条件に含まれる地域エリアを特定するためのエリアＩＤに基づいて、地理情報ＤＢ２を検索し、検索された結果に基づいて地域店舗情報管理サーバを選択する。なお、利用者の商品要求条件については、第２の実施の形態において詳述する。
【００３９】
地域店舗情報管理サーバ３，５は、図５に示すように、位置情報管理サーバ１と通信を行うための送受信部３２、位置情報管理サーバ１から取得した店舗毎の商品情報を蓄積する商品情報ＤＢ４、及び、位置情報管理サーバ１を経由して取得した利用者の商品要求条件に合致する商品を検索する検索エンジン３１を有する。図３の例では、地域店舗商品情報管理サーバ３は、地域エリア８内の店舗を、地域店舗商品情報管理サーバ５は、地域エリア１６内の店舗をそれぞれ管理している。
【００４０】
ユーザ携帯端末２０は、ＰＤＡ(Personal Digital Assistants)等であるとする。
【００４１】
以下に、上記の構成における動作を説明する。
【００４２】
図６は、本発明の第１の実施の形態における動作のシーケンスチャートである。
【００４３】
地域エリア９内の店舗あるいは、地域エリア１６内の店舗の商品情報提供者は各店舗端末９，１０，１１，１２，１５から、毎日あるいは常時特売商品あるいは、一般商品の価格等の商品情報を二次元バーコード及びバーコードに記憶し、記憶したと同時に、商品情報と自店舗の位置情報（住所や電話番号）をサービス提供事業者６が有する位置情報管理サーバ１に送信する（ステップ１０１）。
【００４４】
位置情報管理サーバ１は、地域エリア９内の店舗の端末９，１０，１１，１２、または、地域エリア１６の店舗の端末１５から受信した毎日の特売商品あるいは、一般商品等の商品情報を受信すると、当該商品情報に含まれる店舗の位置情報に基づいて地理情報ＤＢ２を検索し（ステップ１０２）、地域毎に地域店舗商品情報管理サーバ３，５に送信する（ステップ１０３）。例えば、地域エリア８の店舗の端末９，１０，１１，１２から送信された商品情報については、地域店舗商品情報管理サーバ３に送信し、地域エリア１６の店舗の端末１５から送信された商品情報は、地域店舗情報管理サーバ５に送信する。これにより、地域店舗商品情報管理サーバ３、５は、送信された商品情報を店舗毎に商品情報管理ＤＢ４に格納する（ステップ１０４）。
【００４５】
ユーザ端末２１または、ユーザ携帯端末２０は、利用者１７の安売り商品の商品要求条件に合う店舗検索のために、利用者１７が存在する地域エリアを特定するＩＤ（以下エリアＩＤ）と購入対象商品と許容できる距離や時間と、１回に立ち寄る店舗数等、及び商品購入の条件からなる商品要求条件が入力されると、位置情報管理サーバ１に送信する（ステップ１０５）。
【００４６】
位置情報管理サーバ１の検索エンジン２４は、ユーザ端末２１または、ユーザ携帯端末２０から受信した商品要求条件に含まれるエリアＩＤに基づいて、地理ＤＢ２を検索し、該当する地域店舗商品情報管理サーバ３選択する（ステップ１０６）。次に、選択された地域店舗商品情報サーバ３に利用者からの商品要求条件を送信する（ステップ１０７）。
【００４７】
地域店舗商品情報管理サーバ３の検索エンジン３１は、各店舗９，１０，１１，１２の端末から商品登録されている商品情報ＤＢ４を受信した商品要求条件に基づいて検索し（ステップ１０８）、利用者１７の商品要求条件にあった検索結果を位置情報管理サーバ１に返信する（ステップ１０９）。
【００４８】
位置情報管理サーバ１は、検索結果から利用者の商品要求条件に合うような店舗９，１０と商品価格情報の検索結果を算出して加工し（ステップ１１０）、利用者１７のユーザ端末２１、または、ユーザ携帯端末２０に返信する（ステップ１１１）。
【００４９】
例えば、地域エリア８以外の埼玉県など地域エリア１６の地域店舗商品管理サーバ５と店舗１５においても、位置情報管理サーバ１との商品情報の処理は同様である。
【００５０】
ユーザ端末２１または、ユーザ携帯端末２０は、利用者１７に安売り店舗の検索結果を提示することにより、１回で立ち寄るだけで安くて効率の良い商品購入が可能となる安売り店舗の情報を提供することができる。
【００５１】
［第２の実施の形態］
本実施の形態では、利用者が情報フォーマットを用いて商品要求条件を位置情報管理サーバ１に送信する例、及び、位置情報管理サーバ１において地域店舗商品情報管理サーバ３からの検索結果を加工する例を説明する。
【００５２】
図７は、本発明の第２の実施の形態における位置情報管理サーバの構成を示す。同図に示す位置情報管理サーバ１は、図３の構成に検索結果処理部２６が付加された構成である。
【００５３】
図８は、本発明の第２の実施の形態における位置情報管理サーバと地域店舗商品情報管理サーバの配置を示す図である。
【００５４】
サービス事業者６は、位置情報管理サーバ１と地域店舗商品情報管理サーバ３，５及び、他の地域エリアの地域店舗商品情報管理サーバを所有しているものとする。位置情報管理サーバ１は、複数の地域エリア内の地理情報を地理情報ＤＢ２で管理しており、地域店舗商品情報管理サーバ３，５及び他の地域エリアの地域店舗商品情報管理サーバは、各地域エリア内の各店舗で扱う商品情報を店舗毎に商品情報ＤＢ４で管理している。
【００５５】
図９は、本発明の第２の実施の形態における利用者の商品要求条件に合う店舗の検索を説明するための図である。
【００５６】
同図に基づいて、利用者１７が存在する地域エリア８内で利用者宅から半径５００ｍ以内の店舗９，１０，１１，１２で安売り商品を購入する例を説明する。
【００５７】
利用者１７は、要求する安売り商品あるいは、一般商品等を購入する対象商品を、図１０に示す情報フォーマットに従い、ユーザ端末２１あるいは携帯電話あるいは、ＰＤＡ等のユーザ携帯端末２０に入力し、サービス提供者６の位置情報管理サーバ１に送信する。
【００５８】
提供する情報フォーマットは、利用者１７の住所や携帯電話の基地局のＩＤ等のエリアを特定するエリアＩＤ、商品購入に許容できる時間と距離(例えば、半径５００ｍ以内)、許容する交通機関（例えば、電車）、１回に立ち寄る店舗数（例えば、２店舗）、購入対象商品（例えば、安売り商品あるいは、一般商品等を購入する対象商品Ａと商品Ｂと商品Ｃ等）等の情報からなる。
【００５９】
利用者１７からの上記に示すフォーマットで入力された商品要求条件を受信した位置情報管理サーバ１は、入力された情報をメモリ等に保存すると共に、当該商品購入情報に基づいて、地理情報ＤＢ２が保持している地域の地図(図９の右上に示す)から利用者１７の位置及び各店舗の位置情報から利用者１７が許容する検索範囲（例えば、半径５００ｍ以内）に存在する店舗９，１０，１１，１２を検索する。なお、前述の第１の実施の形態と同様に、位置情報管理サーバ１は、利用者１７のユーザ端末２０，２１から入力されたエリアＩＤに基づいて地理情報ＤＢ２を検索し、地域店舗商品情報管理サーバ３を選択し、当該地域店舗商品情報管理サーバ３から店舗９，１０，１１，１２の情報を取得してもよい。
【００６０】
さらに、位置情報管理サーバ１は、当該店舗９，１０，１１，１２を管理する地域店舗商品情報管理サーバ３を、地理情報ＤＢ２を検索することにより選択し、当該地域店舗商品情報管理サーバ３に対して、当該店舗９，１０，１１，１２が、利用者１７から入力された商品リストに対応する商品を販売しているかについて検索を依頼する。これにより、地域店舗商品情報管理サーバ３は、店舗９，１０，１１，１２で販売している商品情報及び、各店舗情報を検索し、位置情報管理サーバ１に返却する。
【００６１】
位置情報管理サーバ１の検索結果処理部２６は、地域店舗商品情報管理サーバ３から受信した商品情報及び店舗情報を、メモリに格納されている利用者からの商品要求条件に沿って加工する。例えば、１回で購入する要求店舗は２店舗であるので、店舗９，１０，１１，１２の内で安価に販売している店舗９の商品Ａｘ円と、店舗１０で商品Ｂｚ円と商品Ｃａ円を買うと安くなるという結果を算出し、安い価格店舗１０と店舗９の選定と、店舗１０，９の距離と時間と場所あるいは、店舗に行くための交通費等の要求条件にあった商品情報を、利用者１７の端末２１あるいは端末２０に返信する。
【００６２】
なお、上記の「店舗１０で商品Ｂ全と商品Ｃａ円を買うと安くなる」という情報は、第４の実施の形態で詳述するが、店舗から提供され、地域店舗商品情報管理サーバ３の商品情報ＤＢ４に格納される商品固有の情報や時間割引などの有無に関する情報や、商品の値段とその値段が適用される時間等を含む情報に基づいて導引される情報である。
【００６３】
さらに、位置情報管理サーバ１の検索結果処理部２６は、利用者１７が要求した商品Ａと商品Ｂと商品Ｃを利用者宅の最も近い店舗１２で全て購入した時の値段と、検索した安い店舗１０，９で商品Ａ，Ｂ，Ｃを購入した値段との差額を算出して利用者１７に返信する。
【００６４】
これにより、利用者１７は、商品価格の差額を知ることで商品購入の判断ができる。
【００６５】
また、利用者１７は、一店で購入するより安く、効率よく安売りの食料品あるいは日用品あるいは、一般商品等を購入することが可能である。
【００６６】
［第３の実施の形態］
本実施の形態では、交通費も勘案して利用者に検索結果を通知する例を示す。
【００６７】
図１１は、本発明の第３の実施の形態における位置情報管理サーバの構成を示す。
【００６８】
位置情報管理サーバ１は、送受信部２３、利用者からの商品要求条件を解析する要求解析部２２、各々の地域エリアを管理する地理情報ＤＢ２、各地域内の交通費を管理する交通費ＤＢ２５、検索エンジン２４、検索結果処理部２６を有する。
【００６９】
地域店舗商品情報管理サーバの構成は、前述の第１の実施の形態と同様である。
【００７０】
位置情報管理サーバ１は、各地域エリアの各店舗端末から毎日安売り商品情報を受信し、前述の第１の実施の形態と同様に、検索エンジン２４で地理情報ＤＢ２を検索することにより地域店舗商品情報管理サーバを選択し、商品情報を、選択された例えば地域店舗商品情報管理サーバ３に送信する。これにより、地域店舗商品情報管理サーバ３は、商品情報ＤＢ４に受信した商品情報を格納する。
【００７１】
位置情報管理サーバ１は、利用者の端末２０，２１から商品要求条件が発行されると、当該商品要求条件に含まれるエリアＩＤに基づいて、地域店舗商品情報管理サーバを選択し、選択された例えば、地域店舗商品情報管理サーバ３に対して安売り商品情報及び店舗の位置情報の検索を依頼し、検索結果を取得する。
【００７２】
次に、位置情報管理サーバ１は、検索エンジン２４が、検索結果の店舗の位置情報に基づいて、交通費ＤＢ２５を参照して、検索結果処理部２６に渡す。これにより、検索結果処理部２６は、利用者の自宅から当該店舗までの交通費を求め、利用者の自宅から最寄の店舗で全て購入した金額と、検索結果から得られた商品購入代金と交通費の合計金額とを比較し、その差額を算出し、利用者の端末２０，２１に通知する。
【００７３】
交通費の算出方法としては、エリアＩＤに基づいて地理情報ＤＢ２を参照し、利用者の基点となる場所Ａを特定し、地域店舗商品情報管理サーバ３から取得した各店舗の位置情報に基づいて、目的地となる場所Ｂ、Ｃ，Ｄ，…を特定し、場所Ａと場所Ｂまでの最寄の駅やバス停をキーとして交通費ＤＢ２５を検索し、次に、場所Ｂから場所Ｃまでのそれぞれの交通費を計算する。この処理を回る店舗−店舗の間でそれぞれ求め、合計する。例えば、場所Ａから場所Ｂまでは２００円、場所Ｂから次の店舗がある場所Ｃまでが１５０円であるとすると、場所Ａから場所Ｃまでは３５０円となる。
【００７４】
従って、利用者が入力したエリアＩＤに対応する場所の最寄の店舗で購入した場合には、３５００円、安売りの店舗を３軒回った場合の購入金額は、２６００円であった場合、交通費を加え、２９５０円となり、最寄の店舗で購入したよりも５５０円安くなることをユーザ端末２０，２１に通知することができる。
【００７５】
［第４の実施の形態］
本実施の形態では、各メッセージついて説明する。
【００７６】
図１２は、本発明の第４の実施の形態における地域店舗商品情報管理サーバが管理する商品情報ＤＢのデータフォーマットを示す。
【００７７】
商品情報ＤＢ４の商品のジャンルとしては、毎日の食料品あるいは日用品等の特売商品と、家電製品を含めた店舗で扱う全商品を対象とし、商品名と販売店舗のＩＤと商品価格と商品の画像等からなるＤＢとし、また、販売する商品によっては、ディジタル写真で捕った商品のディジタル画像を保存する。
【００７８】
図１３は、本発明の第４の実施の形態における位置情報管理サーバと地域店舗商品情報管理サーバとの間で送受信されるメッセージのフォーマットの例を示す。
【００７９】
同図（Ａ）は、位置情報管理サーバ１から地域店舗商品情報管理サーバ３，５への検索要求メッセージを示す。検索要求メッセージは、利用者１７の商品要求条件の識別ＩＤ，時間と距離と店舗数など利用者１７が許容する買物範囲、購入商品点数に応じて変化する購入する商品リストからなる。
【００８０】
同図（Ｂ）は地域店舗商品情報管理サーバ３から位置情報管理サーバ１への検索結果メッセージを示す。当該検索結果メッセージは、利用者１７の商品要求条件のＩＤと店舗９のＩＤと、商品購入の合計金額と、店舗１０のＩＤと商品購入の合計金額と、店舗１２のＩＤと商品購入の合計金額等から構成される。店舗のＩＤと合計金額は利用者１７が立ち寄ることを許容する店舗数に応じて変化する。
【００８１】
同図（Ｃ）は、位置応報管理サーバ１と、利用者１７への検索結果のフォーマットを示す。当該検索結果のメッセージは、利用者１７の端末２０，２１からの商品要求条件のＩＤと店舗９のＩＤと商品の合計金額と、店舗１０のＩＤと商品の合計金額と、店舗１２のＩＤと商品の合計金額等を算出した結果から構成される。当該メッセージは、端末２０，２１に送出される。店舗のＩＤと合計金額は、利用者１７が立ち寄ることを許容する店舗数に応じて変化する。利用者１７への検索結果は、位置情報管理サーバ１への検索結果を集約したもので、位置情報管理サーバ１への検索結果と利用者１７への検索結果とは異なることもある。
【００８２】
図１４は、本発明の第４の実施の形態における店舗から商品情報の提供を説明するための図であり、店舗９の商品情報提供者から各提供商品が提供される例を示している。全ての地域エリアの各店舗も同様に商品情報を提供するものとする。
【００８３】
店舗９の店舗端末は、サービス提供事業者５の安売り商品検索サービス事業に商品情報提供の登録を行い、店舗９の商品情報提供者は、毎日あるいは常時食料品あるいは日用品等の安売り特売商品と家電製品を含めた店舗で扱う全ての商品情報を対象として位置情報管理サーバ１に登録する。
【００８４】
店舗９の商品情報提供者は、２次元バーコードあるいは、一般バーコードを利用し、毎日の食料品あるいは日用品あるいは、他の商品等の安売り特売商品及び一般商品の価格あるいは、生産地及び発売日など店舗情報を数値データとして記憶させる。
【００８５】
２次元バーコードあるいは、バーコードに商品の数値データ“４９０１”等．．．が記憶されると同時に、自動的にＩＰ網７を経由して位置情報管理サーバ１に送信し、商品情報管理ＤＢ２８に登録される。
【００８６】
位置情報管理サーバ１は、各店舗の商品情報を解析するため、各店舗の商品ジャンルの商品登録情報を地域店舗商品情報管理サーバ３に転送する。これにより、地域店舗商品情報管理サーバ３は、当該商品登録情報を商品情報ＤＢ４に格納する。また、登録した食料品あるいは、日用品等特売価格商品の日付が過ぎた場合は、自動的に商品価格が削除され、一般商品などで価格が変化しない商品については、商品情報管理ＤＢ２８及び商品情報ＤＢ４に登録されている。
【００８７】
図１５に示す店舗の端末が提供する情報のフォーマットとしては、住所と電話番号等の店舗情報と、商品固有の情報や時間割引などの有無に関する情報と、値段とその値段が適用される時間等、商品Ａの情報及び商品Ｂの情報等を記載する。
【００８８】
商品情報を提供するとき、サービスタイムの商品割引あるいは、当日の安売り商品の時間等と、食料品の山盛りセットあるいは、刺身セット等と写真画像でイメージして送信する商品は、ディジタルカメラ等で商品を撮り、各店舗の情報通信端末を利用して、位置情報管理サーバ１に送信して、商品情報の登録を行う。
【００８９】
店舗端末は、毎日の食料品あるいは、日用品あるいは、他の商品等の安売り特売商品及び一般商品の価格あるいは、生産地及び発売日など商品情報を登録することができる。
【００９０】
［第５の本発明の形態］
本実施の形態では、広告効果に伴う広告料の徴収について説明する。
【００９１】
サービス提供事業者６は、位置情報管理サーバ１と地域店舗商品情報管理サーバ３を所有して、商品情報と店舗情報を管理している。各店舗９，１０，１１，１２，１５の商品情報提供は、広告の役割を果たしており、新聞広告あるは、チラシ等のメディアを用いた広告と同等の広告効果をもたらすことが可能である。
【００９２】
そのために、各店舗９，１０，１１，１２，１４，１５及び当該サービスに登録した店舗の情報提供事業者から広告料の名目で使用料金を徴収する。
【００９３】
また、利用者１７に対しては、使用料金を徴収しない無料サービスであり、利用者１７の当該サービス利用の意欲を向上させて当該サービス需要の向上を図ることが可能である。
【００９４】
サービス提供事業者６は、利用者１７が安売り店舗検索サービスの利用を多くして拡大させることにより、各店舗の情報提供事業者に対して広告の効果が高いことを認識させ、遠方の大阪および仙台等の地域エリアと各店舗を含む多くの店舗を確保することと、各店舗の売上増と収益に貢献することが可能であり、各店舗から広告収入を得ることで、当該サービス事業を繁栄させることが可能である。
【００９５】
また、上記の各実施の形態における位置情報サーバ及び地域店舗商品情報管理サーバ、及び店舗端末の動作をプログラムとして構築し、各サーバや端末として利用されるコンピュータにインストールして実行させる、または、ネットワークを介して流通させることが可能である。
【００９６】
また、構築されたプログラムを各サーバや端末として利用されるコンピュータに接続されるハードディスクや、フレキシブルディスク、ＣＤ−ＲＯＭ等の可搬記憶媒体に格納し、コンピュータにインストールすることも可能である。
【００９７】
なお、本発明は、上記の実施の形態及び実施例に限定されることなく、特許請求の範囲内において、種々変更・応用が可能である。
【産業上の利用可能性】
【００９８】
本発明は、安売り商品を販売するサービスに適用可能である。
【図面の簡単な説明】
【００９９】
【図１】本発明の原理を説明するための図である。
【図２】本発明の原理構成図である。
【図３】本発明の第１の実施の形態における安売り店舗検索サービスシステムの構成図である。
【図４】本発明の第１の実施の形態における位置情報管理サーバの構成図である。
【図５】本発明の第１の実施の形態における地域店舗商品情報管理サーバの構成図である。
【図６】本発明の第１の実施の形態における動作のシーケンスチャートである。
【図７】本発明の第２の実施の形態における位置情報管理サーバの構成図である。
【図８】本発明の第２の実施の形態における位置情報管理サーバと地域店舗商品管理サーバの配置図である。
【図９】本発明の第２の実施の形態における利用者の商品要求条件に合う店舗の検索を説明するための図である。
【図１０】本発明の第２の実施の形態における利用者が提供する商品要求条件のフォーマットである。
【図１１】本発明の第３の実施の形態における位置情報管理サーバの構成図である。
【図１２】本発明の第４の実施の形態における店舗が提供する情報のフォーマットである。
【図１３】本発明の第４の実施の形態における位置情報管理サーバと地域店舗商品情報管理サーバ間で送受信されるメッセージのフォーマットである。
【図１４】本発明の第４の実施の形態における店舗からの商品情報の提供を説明するための図である。
【図１５】本発明の第４の実施の形態における店舗が提供する情報のフォーマットである。
【符号の説明】
【０１００】
１  位置情報管理サーバ、サービス提供事業者６の位置情報管理サーバ
２  地理情報データベース（ＤＢ）
３  地域店舗商品情報管理サーバ、サービス提供事業者６の地域店舗商品情報管理サーバ
４  商品情報データベース、地域店舗商品情報管理サーバ３の商品情報データベース（ＤＢ）
５  他の地域エリアの地域店舗商品情報管理サーバ
６  サービス提供事業者
７  ＩＰ網
８  地域エリア
９，１０，１１，１２，１５  店舗、店舗端末
１６  他の地域エリア
１７  利用者
１８  位置情報管理サーバ１の検索エンジン
１９  ２次元バーコード及びバーコード
２０  利用者の携帯電話あるいはＰＤＡ等の携帯通信端末(ユーザ端末)
２１  利用者の情報通信端末(ユーザ端末)
２２  要求解析部
２３  送受信部
２４  検索エンジン
２５  交通費データベース（ＤＢ）
２６  情報提供手段、検索結果処理部
３１  検索エンジン
３２  送受信部、検索結果通知手段
３５  商品情報登録手段
９１  商品情報送信手段
２３１  要求受信手段
２３２  商品情報転送手段
２３３  要求転送手段
２４１  第１の地域店舗商品情報管理サーバ選択手段
２４２  第２の地域店舗商品情報管理サーバ選択手段
【図１】
2005250586.tif 000003
【図２】
2005250586.tif 000004
【図３】
2005250586.tif 000005
【図４】
2005250586.tif 000006
【図５】
2005250586.tif 000007
【図６】
2005250586.tif 000008
【図７】
2005250586.tif 000009
【図８】
2005250586.tif 000010
【図９】
2005250586.tif 000011
【図１０】
2005250586.tif 000012
【図１１】
2005250586.tif 000013
【図１２】
2005250586.tif 000014
【図１３】
2005250586.tif 000015
【図１４】
2005250586.tif 000016
【図１５】
2005250586.tif 000017